(57)【要約】【課題】載置面上に載置されて使用される電子機器に関し、使用者が快適に使用することができる電子機器を提供する。【解決手段】電子部品１１を内蔵し、使用時に載置面９１上に置かれる底面１０１、および使用時に使用者側を向く、底面１０１から立設し前端１０６を画定する前面１０２を有する筐体１０と、筐体１０内部に配備され、筐体１０内部の空気を筐体１０外部に向けて送り出すファン１５とを備え、筐体１０が、ファン１５により送られた空気を排気する斜め上方かつ側方を向いた排気面１３０を有する。【選択図】        図３
2006049778.tif 000002
【特許請求の範囲】
【請求項１】
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する斜め上方かつ側方を向いた排気面を有するものであることを特徴とする電子機器。
【請求項２】
前記排気面が、前記筐体の、上下方向の中間位置よりも上側に配備されたものであることを特徴とする請求項１記載の電子機器。
【請求項３】
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する側方を向いた排気口を有するとともに、該筐体内部に、該ファンにより送られた空気を該排気口に向けて斜め上方に通風するダクトを有するものであることを特徴とする電子機器。
【請求項４】
前記ダクト底面が、前記排気口に近づく方向に斜めに上昇した、前記電子部品からの熱を伝導する伝熱部材の上面からなるものであることを特徴とする請求項３記載の電子機器。
【請求項５】
前記ダクト上面が、前記排気口に近づくほど前記底面から離間するように傾斜した傾斜部を有するものであることを特徴とする請求項４記載の電子機器。
【請求項６】
前記ダクトが、前記伝熱部材から該ダクト内部に、相互間に空気流路を形成して立設した複数のフィンを備えたものであることを特徴とする請求項４記載の電子機器。
【請求項７】
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する排気口を有し、該筐体内部に、該ファンにより送られた空気を該排気口に向けて通風する、対向して立設した一対の立壁を有するダクトが配備されたものであり、
前記ダクトが有する一対の立壁が、前記排気口に近づくほど互いに離間した拡幅部を有するものであることを特徴とする電子機器。
【請求項８】
載置面上に載置されて使用される電子機器において、
電子部品を内蔵し、使用時に載置面上に置かれ、内部で発生した音が外部に洩れる開口を有する底面、および使用時に使用者側を向く、該底面から立設し前端を画定する前面を有する筐体と、
前記底面と該底面が載置される載置面とで挟み込まれ前記開口から洩れた音が該底面に沿って前方に漏れ出るのを防止する遮音部材とを有することを特徴とする電子機器。
【請求項９】
前記遮音部材が、該底面と該底面が載置される載置面とで挟み込まれることにより回復自在に潰れる発泡材であることを特徴とする請求項８記載の電子機器。
【請求項１０】
前記遮音部材が、該遮音部材外部から音波を導入し該遮音部材内部で音波が進行することで消音処理を施すものであることを特徴とする請求項８記載の電子機器。
【発明の詳細な説明】
【技術分野】
【０００１】
本発明は、載置面上に載置されて使用される電子機器に関する。
【背景技術】
【０００２】
パーソナルコンピュータ（以下、パソコンと称する）等の電子機器の多くには、筐体内に内蔵された電子部品が発熱することから、筐体内部の放熱を行うため筐体内部に、筐体内部の空気を筐体外部に向けて送り出すファンが設けられている（例えば、特許文献１および２等参照）。特許文献１および特許文献２にはいずれも、ＣＰＵ（Ｃｅｎｔｒａｌ  Ｐｒｏｃｅｓｓｉｎｇ  Ｕｎｉｔ）等の電子部品が内蔵された本体筐体と液晶表示パネルが配備された表示筐体とが互いに重なるように開閉自在に連結されたノート型のパソコンが示されている。このノート型パソコンは、本体筐体を載置面に置き、表示筐体を、前側となる使用者側とは反対の後ろ側に少し倒れるまで開いた状態で使用する。特許文献１には、本体筐体内の空気を送り出すファンと、そのファンにより送られた空気を排気する２つの排気面が示されている。これら２つの排気面のうち一つの排気面は、送られてきた空気を斜め上方かつ使用者側に向けて排気する面である。また、もう一つの排気面は、水平方向を向いた面である。一方、特許文献２には、斜め上方かつ後ろ側を向いた排気面が示されている。
【０００３】
しかしながら、特許文献１に記載されたノート型パソコンでは、使用者側に向けて排気する排気面から出た風が使用者に当たり、快適な使用環境が阻害される。また、水平方向を向いた排気面から出た風は載置面に当たり風切り音が生じ、これもまた快適な使用環境が阻害される。また、特許文献２に記載されたノート型パソコンでは、後ろ側を向いた排気面から出た風が、後ろ側に少し倒れるまで開いた表示筐体に当たるばかりか、ノート型パソコンが載置される場所は載置されたノート型パソコンの後ろ側に壁があることが多いことからその壁にも当たり、両者に風が当たることによって使用者にとって不快な風切り音が生じる。
【０００４】
また、風切り音は、排気口に向かって送られてきた空気の流速が排気口を通過する際に増すことによっても生じる。
【０００５】
さらに、ファンが駆動する音等、本体筐体内部で生じた音が使用者に伝わると、これもまた使用環境を阻害する要因になる。
【特許文献１】特開平４−４８６９３号公報（第５図）
【特許文献２】特開平４−２８４５１９号公報（第５図）
【発明の開示】
【発明が解決しようとする課題】
【０００６】
本発明は上記問題点を解決し、使用者が快適に使用することができる電子機器を提供することを目的とするものである。
【課題を解決するための手段】
【０００７】
上記目的を解決する本発明の第１の電子機器は、載置面上に載置されて使用される電子機器において、
電子部品を内蔵し、使用時に載置面上に置かれる底面、および使用時に使用者側を向く、その底面から立設し前端を画定する前面を有する筐体と、
上記筐体内部に配備され、その筐体内部の空気をその筐体外部に向けて送り出すファンとを備え、
上記筐体が、上記ファンにより送られた空気を排気する斜め上方かつ側方を向いた排気面を有するものであることを特徴とする。
【０００８】
また、上記目的を解決する本発明の第２の電子機器は、載置面上に載置されて使用される電子機器において、
電子部品を内蔵し、使用時に載置面上に置かれる底面、および使用時に使用者側を向く、その底面から立設し前端を画定する前面を有する筐体と、
上記筐体内部に配備され、その筐体内部の空気をその筐体外部に向けて送り出すファンとを備え、
上記筐体が、上記ファンにより送られた空気を排気する側方を向いた排気口を有するとともに、その筐体内部に、そのファンにより送られた空気をその排気口に向けて斜め上方に通風するダクトを有するものであることを特徴とする。
【０００９】
これら本発明の電子機器によれば、排気面から排気される風は、斜め上方かつ側方を向いて排気されるため、上記載置面に当たることはなく、仮に載置された電子機器の後ろに壁があっても、あるいは後ろ側に少し倒れるまで開いた筐体があっても、これらに当たることもなく、使用者にとって不快な風切り音の発生が防止される。また、排気された風が使用者に当たることもなく、使用者は快適に電子機器を使用することができる。
【００１０】
ここで、上記排気面が、上記筐体の、上下方向の中間位置よりも上側に配備されたものであることが好ましい。
【００１１】
こうすることで、排気面から排気された風が上記載置面に当たることをより確実に防止することができる。
【００１２】
また、上記ダクト底面が、上記排気口に近づく方向に斜めに上昇した、上記電子部品からの熱を伝導する伝熱部材の上面からなるものであることも好ましい。
【００１３】
上記伝熱部材によって上記電子部品の熱が効率よく放熱される。
【００１４】
さらに、上記ダクト上面が、上記排気口に近づくほど上記底面から離間するように傾斜した傾斜部を有するものであることがより好ましい。
【００１５】
斜めに上昇した上記ダクト底面に対して、上記ダクト上面が水平なものであると、排気口に近づくほど、ダクトは狭くなり、ダクトを通過する空気の流速が高まって排出口を通過する空気により風切り音が発生する恐れがあるが、上記ダクト上面に上記傾斜部を設けることで、ダクトの、上記傾斜部が設けられた部分を通過する空気は流速が落ち、排出口における風切り音の発生が防止される。
【００１６】
またさらに、上記ダクトが、上記伝熱部材からそのダクト内部に、相互間に空気流路を形成して立設した複数のフィンを備えたものであることがより好ましい。
【００１７】
上記複数のフィンによって、放熱がより促進される。
【００１８】
上記目的を解決する本発明の第３の電子機器は、載置面上に載置されて使用される電子機器において、
電子部品を内蔵し、使用時に載置面上に置かれる底面、および使用時に使用者側を向く、その底面から立設し前端を画定する前面を有する筐体と、
上記筐体内部に配備され、その筐体内部の空気をその筐体外部に向けて送り出すファンとを備え、
上記筐体が、上記ファンにより送られた空気を排気する排気口を有し、その筐体内部に、そのファンにより送られた空気をその排気口に向けて通風する、対向して立設した一対の立壁を有するダクトが配備されたものであり、
上記ダクトが有する一対の立壁が、上記排気口に近づくほど互いに離間した拡幅部を有するものであることを特徴とする。
【００１９】
本発明の第３の電子機器によれば、上記排気口を通過する空気の流速が上記拡幅部によって落とされるため、使用者にとって不快な風切り音の発生が防止される。
【００２０】
上記目的を解決する本発明の第４の電子機器は、載置面上に載置されて使用される電子機器において、
電子部品を内蔵し、使用時に載置面上に置かれ、内部で発生した音が外部に洩れる開口を有する底面、および使用時に使用者側を向く、その底面から立設し前端を画定する前面を有する筐体と、
上記底面とその底面が載置される載置面とで挟み込まれ上記開口から洩れた音がその底面に沿って前方に漏れ出るのを防止する遮音部材とを有することを特徴とする。
【００２１】
ここにいう開口とは、上記底面に設けられた、上記筐体内部の空気をその筐体外部に向けて送り出すファンの吸気口、あるいは取り外し自在なカバー部材等の嵌め合い構造によってできた隙間等、大きさや形状は問わない。
【００２２】
本発明の第４の電子機器によれば、上記筐体内部で生じた音が前方にいる使用者に伝わることが抑制され、使用者は快適に電子機器を使用することができる。
【００２３】
ここで、上記遮音部材は、上記底面全面を覆うものであることが、遮音性が高められることから好ましい。
【００２４】
また、上記遮音部材が、その底面とその底面が載置される載置面とで挟み込まれることにより回復自在に潰れる発泡材であってもよいし、あるいは、
その遮音部材外部から音波を導入しその遮音部材内部で音波が進行することで消音処理を施すものであってもよい。
【００２５】
すなわち、上記遮音部材が上記発泡材であれば吸音器として作用し、消音処理を施すものであれば消音器として作用する。
【発明の効果】
【００２６】
本発明によれば、使用者が快適に使用することができる電子機器を提供することができる。
【発明を実施するための最良の形態】
【００２７】
以下図面を参照して本発明の実施の形態を説明する。
【００２８】
図１は、本発明の電子機器の一実施形態であるノート型のパーソナルコンピュータを示す図である。
【００２９】
図１に示すノート型のパーソナルコンピュータ（ノート型パソコン）１は、ＣＰＵ（Ｃｅｎｔｒａｌ  Ｐｒｏｃｅｓｓｉｎｇ  Ｕｎｉｔ）１１等の電子部品が内蔵された本体筐体１０と液晶表示パネル２１が配備された表示筐体２０とが互いに重なるように開閉自在に連結された電子機器であり、使用時には、本体筐体１０を載置面に置き、表示筐体２０を、前側となる使用者側とは反対の後ろ側に少し倒れるまで開いた状態で使用する。図１には、ノート型パソコン１が机９１の上に置かれ、表示筐体２０を開いた様子が示されており、図中、右側が前側（使用者側）となり、左側が後ろ側となる。表示筐体２０が開かれることで、液晶表示パネル２１は使用者側を向く。また、本体筐体１０は、載置面上に置かれる底面１０１と、使用時に使用者側を向く、底面１０１から立設し前端を画定する前面１０２とを有する扁平形状のものであり、机９１側が下側となる。本体筐体１０には、底面１０１とは反対の上面１０３に、キーボード１２１やタッチパッド１２２が搭載されている。使用者は、表示筐体２０を開くことでキーボード１２１やタッチパッド１２２を操作するこができるようになる。またここでは、机９１の後ろ側に壁９２が示されている。
【００３０】
図１に示すノート型パソコン１の本体筐体１０の側部には、排気面１３０が設けられている。この本体筐体１０の内部にはファンが配備されている。本体筐体内部の空気は、このファン１５によって本体筐体外部に向けて送り出される。
【００３１】
図２は、図１に示すノート型パソコンの本体筐体に内蔵されたファンを示す図である。
【００３２】
図２に示すファン１５は、扁平なシロッコファンであり、円形の吸込口１５１を有する。このファン１５は、本体筐体内部の、図１に示す本体筐体１０の底面１０１から上方に離間した位置に、吸込口１５１が底面１０１を向くように配備されている。本体筐体内部に配備されたファン１５の吐出口１５２は、図１に示す排気面１３０を向いている。図２に示すファン１５では、羽根１５３が回転することで、紙面手前側の空気を吸込み、矢印が示すように紙面上方に向けて吸込んだ空気を吐出する。
【００３３】
また、図２に示す吐出口１５２には、排気面１３０につながるダクト１６が接続されている。排気面１３０の大きさとその排気面１３０につながるダクト開口の大きさは、同じ大きさに揃えられている。さらに、本体筐体１０の内部にはヒートシンク１６１も配備されている。このヒートシンク１６１は、本体筐体１０に内蔵されたＣＰＵ１１等の電子部品からの熱を伝導する板状の伝熱部１６１１と、伝熱部１６１１に接し、相互間に空気流路を形成して立設した複数のフィン１６１２を有するものである。ダクト底面は、この伝熱部１６１１の上面によって形成されたものであり、複数のフィン１６１２は、ダクト内部に立設している。ファン１５の吐出口１５２から吐出された空気は、これらのフィン１６１２の間を通り抜け、図１に示す排気面１３０に到達する。ＣＰＵ１１等で生じた熱は、図２に示すヒートシンク１６１によって放熱され、フィン１６１２の間を空気が通過することで、冷却効果が高められる。
【００３４】
図３は、図１に示すノート型パソコンの本体筐体の、排気面が設けられた側部を拡大して示す図である。
【００３５】
図３に示す排気面１３０は、図２に示すファン１５により送られた空気を排気するものであって、斜め上方かつ側方を向いている。この排気面１３０は、底面１０１の側部から立設した側面１０４から、上面１０３と側面１０４との境界線１０５よりもキーボード１２１側に入り込むように、本体筐体１０が載置された載置面から垂直に立ち上がる垂線に対して１５°傾斜している。したがって、図２に示すファン１５により送られてきた空気は、斜め上方かつ側方に排気され、図１に示す机２の載置面に当たることはない。しかも、排気面１３０は、本体筐体１０の、上下方向の中間位置よりも上側に配備されたものであり、扁平形状な本体筐体１０では、排気風が机２の載置面に当たることがより効果的に防止されている。また、排気風は、側方に排気されるため、図１に示す後ろ側の壁９２や、後ろ側に少し倒れるまで開いた表示筐体２０にも当たることはない。したがって、排気風による風切り音の発生が防止される。また、排気風が使用者に当たることもなく、使用者は快適に本実施形態のノート型パソコン１を使用することができる。
【００３６】
図４は、図１に示すノート型パソコンの騒音を１／３オクターブ分析した結果を示すグラフである。
【００３７】
図４に示すグラフの横軸は周波数（Ｈｚ）を示し、縦軸は音圧レベル（ｄＢ／２０．０μＰａ）を示す。
【００３８】
後述するように、図１に示すノート型パソコン１の本体筐体１０は、吸音材３０を介して机９１の上に載置されているが、ここでは、吸音材３０を取り外し、本体筐体１０の底面１０１を机９１の上に直接置いて、使用時の騒音を、ＪＩＳ規格Ｘ  ７７７９に準拠して測定した。また、排気面を水平方向を向けた以外は図１に示すノート型パソコン１の構成と同じ構成のノート型パソコンについても、使用時の騒音を同様にして測定した。なお、いずれの測定においても周波数分析にはＡ特性のフィルタを用いた。
【００３９】
図４のグラフでは、実線が、垂線に対して１５°傾斜することで斜め上方を向いた排気面を有するノート型パソコン１の結果を示し、点線が、水平方向を向いた排気面を有するノート型パソコンの結果を示す。
【００４０】
１／３オクターブバンド中心周波数が１００Ｈｚから１０ｋＨｚまでの範囲における音圧レベルの合計値は、水平方向を向いた排気面を有するノート型パソコンでは４６．６ｄＢであったのに対し、斜め上方を向いた排気面を有するノート型パソコン１では４５．６ｄＢになり、１．０ｄＢの騒音低下が確認された。この騒音低下は、排気風が引き起こす風切り音の発生が防止されたことによるものといえる。
【００４１】
続いて、図１に示す吸音材３０について詳述する。
【００４２】
図１に示す吸音材３０は、図１に示す本体筐体１０の底面全面を覆うように、その底面１０１に固着された発泡材である。図１に示すように、この吸音材３０は、ノート型パソコン１が載置面に載置されると、本体筐体１０の底面１０１と載置面とで挟み込まれ、回復自在に潰れる。図１に示す本体筐体１０の底面は、側方から取り外し自在なカバー部材の嵌め合い構造によってできた隙間を有する。このため、この隙間から、本体筐体１０の内部で生じた音（例えば、図２に示すファンの回転音等）が洩れるが、洩れた音が底面１０１に沿って前方に漏れ出ることは、潰れた吸音材３０によって防止される。また、本体筐体１０の内部で生じた音は、排気面１３０からも放射されるが、この放射された音が底面１０１に沿って前方に漏れ出ることも、潰れた吸音材３０によって防止される。このため、本体筐体１０の内部で生じた音が前方にいる使用者に伝わることが抑制され、使用者はより快適に電子機器を使用することができる。
【００４３】
ここで、市販されている、本体筐体の底面に開口を有するノート型パソコンの、その底面全面に吸音材を貼り付けて、使用者の位置において騒音測定を実施したので、その結果を説明する。
【００４４】
図５は、市販のノート型パソコンの騒音を１／３オクターブ分析した結果を示すグラフである。
【００４５】
図５に示すグラフの横軸は周波数（Ｈｚ）を示し、縦軸は音圧レベル（ｄＢ／２０．０μＰａ）を示す。
【００４６】
ここでは、吸音材として、厚さが１．３ｍｍのスポンジと４０．０ｍｍのスポンジとの２種類のスポンジを用意し、まず、スポンジを貼り付ける前に、本体筐体の底面を机の上に直接置いて、使用時の騒音を、ＪＩＳ規格Ｘ  ７７７９に準拠して測定した。続いて、厚さが異なる２種類のスポンジそれぞれを本体筐体の底面全面に貼り付け、載置面にノート型パソコンを置くことで、底面と載置面とでスポンジを挟み込んだ状態にし、使用時の騒音を同様にして測定した。なお、いずれの測定においても周波数分析にはＡ特性のフィルタを用いた。
【００４７】
図５のグラフでは、実線が、厚さ４０．０ｍｍのスポンジを貼り付けたノート型パソコンの結果を示し、１点鎖線が、厚さ１．３ｍｍのスポンジを貼り付けたノート型パソコンの結果を示し、点線が、スポンジを貼り付けていないノート型パソコンの結果を示す。
【００４８】
１／３オクターブバンド中心周波数が１００Ｈｚから１０ｋＨｚまでの範囲における音圧レベルの合計値は、スポンジを貼り付けていないノート型パソコンでは４５．８ｄＢであったのに対し、厚さ１．３ｍｍのスポンジを貼り付けたノート型パソコンでは４４．７ｄＢとなり、１．１ｄＢの騒音低下が確認された。また、厚さ４０．０ｍｍのスポンジを貼り付けたノート型パソコンでは４３．８ｄＢとなり、２．０ｄＢもの騒音低下が確認された。この騒音低下は、底面に貼り付けたスポンジが開口から漏れた音や排気面１３０から放射された音を遮音、吸音したことによるものといえる。
【００４９】
続いて、図１に示す吸音材３０の変形例について図５及び図６を用いて説明する。なお、今まで説明した部材と同じ機能を有する部材には、これまでに用いた符号とおなじ符号を付して説明する（以下、同じ。）。
【００５０】
図６は、帯状の吸音材が固着された底面を示す図である。
【００５１】
図６に示すノート型パソコン１の本体筐体底面１０１の中央には、本体筐体に内蔵されたファンの吸込口につながる吸気面１４０が設けられている。本体筐体底面１０１の四隅には図示省略したがゴム足が設けられており、図６に示すノート型パソコン１が載置面におかれると、載置面と本体筐体底面１０１との間にはこのゴム足の高さ分、隙間が生じ、本体筐体外部の空気が、吸気面１４０から本体筐体内部へ取り込まれる一方、この吸気面１４０から、本体筐体１０の内部で生じた音が洩れてしまう。また、本体筐体１０の内部で生じた音は、排気面１３０からも放射され、載置面と本体筐体底面１０１との間に生じた隙間を通って前方に漏れ出ようとする。
【００５２】
図６に示す帯状の吸音材３０は、吸気面１４０と本体筐体１０の前端１０６（使用者側端）との間で、本体筐体１０の両側部を結ぶ幅方向に延在した発砲材である。この帯状の吸音材３０も、ノート型パソコン１が載置面に載置されると、本体筐体１０の底面１０１と載置面とで挟み込まれ、回復自在に潰れ、吸気面１４０から洩れた音や、排気面１３０から放射された音が底面１０１に沿って前方に漏れ出ることを防止する。
【００５３】
図７は、コ字状の吸音材が固着された底面を示す図である。
【００５４】
図７に示すノート型パソコン１の本体筐体底面１０１は、後端側に、後方から取り外し自在なカバー部材１７の嵌め合い構造によってできた隙間１８を有する。本体筐体１０の内部で生じた音は、この隙間１８から洩れたり、排気面１３０から放射される。
【００５５】
図５に示すコ字状の吸音材３０は、底面１０１に、後端側の隙間１８を前方から囲うように固着されたものであり、底面１０１の両側部それぞれで前後方向に延びた部分３１，３２と、これらの部分３１、３２を前端側でつなぐ幅方向に延びた部分３３とを有する発砲材である。このコ字状の吸音材３０も、ノート型パソコン１が載置面に載置されると、本体筐体１０の底面１０１と載置面とで挟み込まれ、回復自在に潰れ、隙間１８から洩れた音や排気面１３０から放射された音が底面１０１に沿って前方に漏れ出ることを防止する。
【００５６】
次に、図１に示す吸音材３０を消音器に変更した態様について図８を用いて説明する。
【００５７】
図８は、消音器を示す斜視図である。
【００５８】
図８に示す消音器４０も、図１に示す吸音材３０と同じく、本体筐体１０の底面全面を覆うように、その底面１０１に固着されるものである。この消音器４０は、外部から音波を導入し内部で音波が進行することで消音処理を施すものであり、外部と内部を画定する筐体４１からなるものである。この筐体４１は、外部からの音波を内部に導入する音波導入面４１１を有する。音波導入面４１１には、外部と内部をつなぐ多数の孔４１１１が設けられている。図７に示す消音器４０は、本体筐体１０の底面１０１に、この音波導入面４１１がその底面１０１に対向するように固着される。したがって、底面１０１の開口から洩れた音は、消音器４０の音波導入面４１１に設けられた孔４１１１を通って、消音器４０の筐体内部に入り込み消音され、開口から洩れた音が本体筐体１０の前方に漏れ出ることが防止される。また、排気面１３０から放射された音も、この消音器４０によって遮音され、本体筐体１０の前方に漏れ出ることが防止される。
【００５９】
続いて、本発明の第２実施形態について説明する。ここでは、第１実施形態の説明と重複する説明は省略し、特徴的な部分を中心に説明する。
【００６０】
図９は、本発明の第２実施形態のノート型パソコンを、本体筐体の底面側から示す斜視図である。
【００６１】
図９に示すノート型パソコン１の本体筐体１０にも、ファン１５およびダクト１６が内蔵されている。ファン１５およびダクト１６は、本体筐体底面１０１とわずかな隙間をあけて配備されている。この図９には、ＣＰＵ１１等の電子部品が実装された基板１９が示されており、ヒートシンクの伝熱部１６１は発熱が激しいＣＰＵ１１と熱接続されている。なお、この熱接続は、直接的であってもよいし間接的であってもよい。また、この図９では、図の左手前が本体筐体１０の後ろ側になり、右奥側が前側になる。本体筐体１０の後面１０７には、本体筐体１０に内蔵されたファン１５の吸込口１５１につながる吸気口１４が設けられている。図中に示す矢印のように、本体筐体外部の空気は、この吸気口１４から本体筐体内部へ取り込まれ、底面１０１に沿ってファン１５の吸気口１５１に到達し、ダクト１６内を通過する。ダクト１６は、対向して立設した一対の立壁１６０１を有するものである。ダクト１６は排気口１３につながるものであり、ダクト１６を通過した空気は排気口１３から排気される。図９に示す排気口１３は、本体筐体１０の側部に設けられた、水平方向かつ側方を向いたものである。この排気口１３の大きさとその排気口１３につながるダクト開口の大きさは、同じ大きさに揃えられている。
【００６２】
図１０は、図９に示す本体筐体の、排気口につながるダクト内部を、立壁側から示す図である。
【００６３】
この図１０では、矢印が示すように、図９に示す吸気口１５１から取り込まれた空気は、ここでは不図示のファンによって右側から左側に送られ、図の左端に示す排気口１３から排気される。図の左右に延びる伝熱部１６１１は、板状のものであり、排気口１３に近づくつれて徐々に厚くなっている。すなわち、伝熱部１６１１は、排気口１３に近づく方向に斜めに上昇した上面１６１１ａを有するものである。図１０に示すダクト１６の底面１６０２は、このように傾斜した上面１６１１ａによって形成されており、フィン１６１２の間を通り抜ける空気は、排気口１３に向けて斜め上方に送られる。したがって、図１０に示すダクト１６は、ファンにより送られた空気を排気口１３に向けて斜め上方に通風するものであり、排気口１３から排気される空気は、斜め上方かつ側方に向かって排気される。この結果、図１０に示す排気口１３から排気された空気は、図３に示す、斜め上方かつ側方を向いた排気面１３０から排気された空気と同じく、載置面や、後ろ側の壁９２や、後ろ側に少し倒れるまで開いた表示筐体２０に当たることはなく、排気風による風切り音の発生が防止される。また、排気風が使用者に当たることもなく、使用者は快適に本実施形態のノート型パソコン１を使用することができる。
【００６４】
また、図１０に示すダクト１６の上面１６０３は、排気口１３に近づくほど、ダクト底面１６０１から離間するように傾斜した傾斜部１６０４を有する。斜めに上昇したダクト底面１６０２に対して、この上面１６０３が水平なものであると、排気口１３に近づくほど、ダクト１６は狭くなり、ダクト１６を通過する空気の流速が高まって排気口１３を通過する空気により風切り音が発生する恐れがあるが、ダクト上面１６０３に図１０に示す傾斜部１６０４を設けることで、ダクト１６の、その傾斜部１６０４が設けられた部分を通過する空気は流速が落ち、排気口１３における風切り音の発生が防止される。
【００６５】
図１１は、図９に示す本体筐体に内蔵されたダクト内部を、上面側から示す図である。
【００６６】
この図１１でも、矢印が示すように、図９に示す吸気口１５１から取り込まれた空気は、図の右側から左側に送られ、フィン１６１２の間を通り抜けて、図の左端に示す排気口１３から排気される。図１１には、ダクト１６が有する一対の立壁１６０１が示されている。この一対の立壁１６０１は、排気口１３に近づくほど互いに離間した拡幅部１６０５を有するものである。図１１に示すダクト１６の、拡幅部１６０５が設けられた部分を通過する空気は流速が落ち、排気口１３における風切り音の発生がここでも防止される。
【００６７】
なお、本体筐体１０の厚さを抑えるのであれば、図１０に示す傾斜部１６０４を省略し、ダクト１６の上面１６０３を水平なものとしたまま、図１１に示す拡幅部１６０５を設ければよい。
【００６８】
以上説明したノート型パソコン１では、排気風による風切り音の発生を防止することや、底面の開口から洩れた音が使用者に伝わることの低減がなされているため、使用者は快適に電子機器を使用することができる。また、排気風が使用者に当たることもなく、使用者が不快な思いをすることもない。
【００６９】
なおここでは、電子機器の一例としてノート型パソコンを用いて本発明の各種態様を説明したが、本発明は、ノート型パソコンに限らず、ユビキタス製品等の様々な電子機器に適用することができる。
【００７０】
以下、本発明の各種態様を付記する。
【００７１】
（付記１）
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する斜め上方かつ側方を向いた排気面を有するものであることを特徴とする電子機器。
【００７２】
（付記２）
前記排気面が、前記筐体の、上下方向の中間位置よりも上側に配備されたものであることを特徴とする付記１記載の電子機器。
【００７３】
（付記３）
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する側方を向いた排気口を有するとともに、該筐体内部に、該ファンにより送られた空気を該排気口に向けて斜め上方に通風するダクトを有するものであることを特徴とする電子機器。
【００７４】
（付記４）
前記ダクト底面が、前記排気口に近づく方向に斜めに上昇した、前記電子部品からの熱を伝導する伝熱部材の上面からなるものであることを特徴とする付記３記載の電子機器。
【００７５】
（付記５）
前記ダクト上面が、前記排気口に近づくほど前記底面から離間するように傾斜した傾斜部を有するものであることを特徴とする付記４記載の電子機器。
【００７６】
（付記６）
前記ダクトが、前記伝熱部材から該ダクト内部に、相互間に空気流路を形成して立設した複数のフィンを備えたものであることを特徴とする付記４記載の電子機器。
【００７７】
（付記７）
載置面上に載置されて使用される電子機器において、
電子部品を内蔵し、使用時に載置面上に置かれる底面、および使用時に使用者側を向く、該底面から立設し前端を画定する前面を有する筐体と、
前記筐体内部に配備され、該筐体内部の空気を該筐体外部に向けて送り出すファンとを備え、
前記筐体が、前記ファンにより送られた空気を排気する排気口を有し、該筐体内部に、該ファンにより送られた空気を該排気口に向けて通風する、対向して立設した一対の立壁を有するダクトが配備されたものであり、
前記ダクトが有する一対の立壁が、前記排気口に近づくほど互いに離間した拡幅部を有するものであることを特徴とする電子機器。
【００７８】
（付記８）
載置面上に載置されて使用される電子機器において、
電子部品を内蔵し、使用時に載置面上に置かれ、内部で発生した音が外部に洩れる開口を有する底面、および使用時に使用者側を向く、該底面から立設し前端を画定する前面を有する筐体と、
前記底面と該底面が載置される載置面とで挟み込まれ前記開口から洩れた音が該底面に沿って前方に漏れ出るのを防止する遮音部材とを有することを特徴とする電子機器。
【００７９】
（付記９）
前記遮音部材が、該底面と該底面が載置される載置面とで挟み込まれることにより回復自在に潰れる発泡材であることを特徴とする付記８記載の電子機器。
【００８０】
（付記１０）
前記遮音部材が、該遮音部材外部から音波を導入し該遮音部材内部で音波が進行することで消音処理を施すものであることを特徴とする付記８記載の電子機器。
【００８１】
（付記１１）
前記遮音部材が、前記底面全面を覆うものであることを特徴とする付記８記載の電子機器。
【図面の簡単な説明】
【００８２】
【図１】本発明の電子機器の一実施形態であるノート型のパーソナルコンピュータを示す図である。
【図２】図１に示すノート型パソコンの本体筐体に内蔵されたファンを示す図である。
【図３】図１に示すノート型パソコンの本体筐体の、排気面が設けられた側部を拡大して示す図である。
【図４】図１に示すノート型パソコンの騒音を１／３オクターブ分析した結果を示すグラフである。
【図５】市販のノート型パソコンの騒音を１／３オクターブ分析した結果を示すグラフである。
【図６】帯状の吸音材が固着された底面を示す図である。
【図７】コ字状の吸音材が固着された底面を示す図である。
【図８】消音器を示す斜視図である。
【図９】本発明の第２実施形態のノート型パソコンを、本体筐体の底面側から示す斜視図である。
【図１０】図９に示す本体筐体の、排気口につながるダクト内部を、立壁側から示す図である。
【図１１】図９に示す本体筐体に内蔵されたダクト内部を、上面側から示す図である。
【符号の説明】
【００８３】
１    ノート型パソコン
１０    本体筐体
１０１    底面
１０２    前面
１０３    上面
１０４    側面
１０６    前端
１１    ＣＰＵ
１３    排気口
１３０    排気面
１４    吸気口
１４０    吸気面
１５    ファン
１６    ダクト
１６０１    立壁
１６０２    底面
１６０３    上面
１６０４    傾斜部
１６０５    拡幅部
１６１    ヒートシンク
１６１１    伝熱部
１６１２    フィン
１８    隙間
２０    表示筐体
３０    吸音材
４０    消音器
【図１】
2006049778.tif 000003
【図２】
2006049778.tif 000004
【図３】
2006049778.tif 000005
【図４】
2006049778.tif 000006
【図５】
2006049778.tif 000007
【図６】
2006049778.tif 000008
【図７】
2006049778.tif 000009
【図８】
2006049778.tif 000010
【図９】
2006049778.tif 000011
【図１０】
2006049778.tif 000012
【図１１】
2006049778.tif 000013